(57)【要約】【課題】半嵌合を防止することができ、かつ、コネクタ全体の小型化及び取扱い性の向上を図ることができる半嵌合防止コネクタを提供する。【解決手段】半嵌合防止コネクタ１０は、一方の端子２５とロック部２７ａ及び磁性体２８を有する一方のコネクタ２０と、一方のコネクタ２０に嵌合した際にロック部２７ａが係止される係止部３７ａと他方の端子３５と反発用及び嵌合用の各磁性体３８，３９を有する他方のコネクタ３０と、を備え、一方のコネクタ２０のロック部２７ａが他方のコネクタ３０の係止部３７ａに係止されるまでの両コネクタ２０，３０の半嵌合時に一方のコネクタ２０の磁性体２８と他方のコネクタ３０の反発用の磁性体３８の同極性の磁力による反発力が働くようにし、かつ、両コネクタ２０，３０の嵌合時に一方のコネクタ２０の磁性体２８と他方のコネクタ３０の嵌合用の磁性体３９の異極性の磁力による吸着力が働くようにした。【選択図】図１
2019016471.tif 000002
【特許請求の範囲】
【請求項１】
一方の端子とロック部及び磁力がある磁性体を有する一方のコネクタと、
前記一方のコネクタに嵌合した際に前記ロック部が係止される係止部と他方の端子と反発用及び嵌合用の磁力がある各磁性体を有する他方のコネクタと、を備え、
前記一方のコネクタのロック部が前記他方のコネクタの係止部に係止されるまでの前記両コネクタの半嵌合時に前記一方のコネクタの磁性体と前記他方のコネクタの反発用の磁性体の同極性の磁力による反発力が働くようにし、かつ、前記両コネクタの嵌合時に前記一方のコネクタの磁性体と前記他方のコネクタの嵌合用の磁性体の異極性の磁力による吸着力が働くようにしたことを特徴とする半嵌合防止コネクタ。
【請求項２】
請求項１記載の半嵌合防止コネクタであって、
前記一方のコネクタの磁性体と前記他方のコネクタの反発用の磁性体は、同極性の磁力を有する磁石からなり、
前記一方のコネクタの磁性体と前記他方のコネクタの嵌合用の磁性体は、異極性の磁力を有する磁石からなることを特徴とする半嵌合防止コネクタ。
【発明の詳細な説明】
【技術分野】
【０００１】
本発明は、半嵌合防止機能を備えた半嵌合防止コネクタに関する。
【背景技術】
【０００２】
この種の半嵌合防止コネクタとして、図６と図７に示すものが知られている。この半嵌合防止コネクタ１は、図６と図７に示すように、雌ハウジング３に雌端子４を有すると共に、雌ハウジング３の外側に係止突起３ａを有する雌コネクタ２と、雄ハウジング６に雄端子７を有すると共に、雌コネクタ２に嵌合した際に、係止突起３ａに係止されロック突部６ｂ付きのロックアーム６ａを有する雄コネクタ５と、雌ハウジング３の円環状のバネ収容部３Ａ内に設けられ、雌，雄コネクタ２，５の嵌合時に雄ハウジング６の円筒状のフード部６Ａの先端に押圧されて弾性変形し、雌，雄コネクタ２，５の半嵌合時に雌，雄コネクタ２，５を離間させる大径の圧縮コイルバネ８と、を備えている。尚、図６及び図７中符号９は、バネ抜け防止のためのバネ止め部材である。
【０００３】
そして、半嵌合（中途嵌合）を防止するために、圧縮コイルバネ８の反発力を雌，雄コネクタ２，５の離脱力以上とすることで、雌コネクタ２の係止突起３ａと雄コネクタ５のロックアーム６ａのロック突部６ｂとが係止するまで、圧縮コイルバネ８の反発力（復元力）により雌端子４と雄端子７が接触しない状態まで押し戻され、雌，雄コネクタ２，５の半嵌合において雌端子４と雄端子７が導通しないようになっている。
【先行技術文献】
【特許文献】
【０００４】
【特許文献１】特開平９−１２９３１３号公報
【発明の概要】
【発明が解決しようとする課題】
【０００５】
しかしながら、前記従来の半嵌合防止コネクタ１では、半嵌合防止用の圧縮コイルバネ８を収容するバネ収容部３Ａの長さ、直径を大きくする必要があり、コネクタ全体が大型化し、その取扱い性が悪かった。また、大型サイズのコネクタの場合、嵌合時のコネクタ挿入力が大きくなるため、嵌合作業性が悪かった。
【０００６】
そこで、本発明は、前記した課題を解決すべくなされたものであり、半嵌合を防止することができ、かつ、コネクタ全体の小型化及び取扱い性の向上を図ることができる半嵌合防止コネクタを提供することを目的とする。
【課題を解決するための手段】
【０００７】
本発明は、半嵌合を防止する機能を備えた半嵌合防止コネクタであって、一方の端子とロック部及び磁力がある磁性体を有する一方のコネクタと、前記一方のコネクタに嵌合した際に前記ロック部が係止される係止部と他方の端子と反発用及び嵌合用の磁力がある各磁性体を有する他方のコネクタと、を備え、前記一方のコネクタのロック部が前記他方のコネクタの係止部に係止されるまでの前記両コネクタの半嵌合時に前記一方のコネクタの磁性体と前記他方のコネクタの反発用の磁性体の同極性の磁力による反発力が働くようにし、かつ、前記両コネクタの嵌合時に前記一方のコネクタの磁性体と前記他方のコネクタの嵌合用の磁性体の異極性の磁力による吸着力が働くようにしたことを要旨とする。
【０００８】
また、本発明の半嵌合防止コネクタは、前記一方のコネクタの磁性体と前記他方のコネクタの反発用の磁性体は、同極性の磁力を有する磁石からなり、前記一方のコネクタの磁性体と前記他方のコネクタの嵌合用の磁性体は、異極性の磁力を有する磁石からなることを特徴とする。
【発明の効果】
【０００９】
本発明によれば、半嵌合防止用のバネ部材の代わりに同極性と異極性の磁力を有する磁性体を用いることで、従来のようなバネ部材を収容する部分が不要となり、その分、構造の簡素化を図ることができる。この構造の簡素化により、コネクタ全体の小型化及び取扱い性の向上を図ることができる。また、磁性体の反発力、吸着力によって確実な完全嵌合が可能となる。
【図面の簡単な説明】
【００１０】
【図１】本発明の一実施形態の半嵌合防止コネクタの要部を断面で示す斜視図である。
【図２】上記半嵌合防止コネクタの嵌合前の状態を示す断面図である。
【図３】上記半嵌合防止コネクタの嵌合初期の状態を示す断面図である。
【図４】上記半嵌合防止コネクタの嵌合途中の状態を示す断面図である。
【図５】上記半嵌合防止コネクタの嵌合完了状態を示す断面図である。
【図６】従来の半嵌合防止コネクタの嵌合前の状態を示す説明図である。
【図７】上記従来の半嵌合防止コネクタの嵌合完了の状態を示す説明図である。
【発明を実施するための形態】
【００１１】
以下、本発明の一実施形態を図面に基づいて説明する。
【００１２】
図１は本発明の一実施形態の半嵌合防止コネクタの要部を断面で示す斜視図、図２は同コネクタの嵌合前の状態を示す断面図、図３は同コネクタの嵌合初期の状態を示す断面図、図４は同コネクタの嵌合途中の状態を示す断面図、図５は同コネクタの嵌合完了状態を示す断面図である。
【００１３】
図１〜図５に示すように、半嵌合防止コネクタ１０は、硬質合成樹脂製の雌ハウジング２１の円筒状の内側ハウジング２２内に複数の雌端子（一方の端子）２５と円筒状の内側ハウジング２２の先端外側に磁力を有した磁石（磁性体）２８を有し、円筒状の外側ハウジング２４の上下部に一対のロックアーム２７，２７を有する雌コネクタ（一方のコネクタ）２０と、硬質合成樹脂製の雄ハウジング３１の円筒状のフード部３２の先端外側の上下にロックアーム２７のロック突起（ロック部）２７ａが係止・離脱される係止突起（係止部）３７ａを有すると共に、円筒状のフード部３２の先端内側に例えばＮ極の磁性を有した円環状の反発用磁石（反発用の磁性体）３８を有し、かつ、円筒状のフード部３２の嵌合面としての隔壁３３の中央に複数の雄端子（他方の端子）３５を有すると共に、隔壁３３の外周側に例えばＳ極の磁性を有した円環状の嵌合用磁石（嵌合用の磁性体）３９を有する雄コネクタ（他方のコネクタ）３０と、を備えている。
【００１４】
雌コネクタ２０の円筒状の内側ハウジング２２と円筒状の外側ハウジング２４を仕切る円板状の隔壁２３の中央部の回りには、複数の円筒状の雌端子２５を突設してある。この雌端子２５は隔壁２３に一体突出形成された仕切板２３ａにより仕切られている。さらに、各雌端子２５には電線２６が接続されている。
【００１５】
また、雌ハウジング２１の外側ハウジング２４の上下部には、各一対のスリット２４ａ，２４ａを形成してあり、この各一対のスリット２４ａ，２４ａ間には、先端にロック突起２７ａを有した一対のロックアーム２７，２７を撓み変形自在に一体突出形成してある。
【００１６】
さらに、雌ハウジング２１の円筒状の内側ハウジング２２の先端外側には、円環状の切欠き部２２ａを形成してあり、この円環状の切欠き部２２ａには、例えばＮ極の磁性を有した円柱状の磁石（磁性体）２８を取り付けてある。
【００１７】
雄コネクタ３０の円筒状のフード部３２の外周面の上下部には、ロックアーム２７のロック突起２７ａが接触して摺動する長溝凹状のロックアーム接触部３７をそれぞれ形成してある。この各長溝凹状のロックアーム接触部３７の先端側には、ロックアーム２７のロック突起２７ａが係止・離脱される係止突起３７ａを形成してある。
【００１８】
また、雄ハウジング３１の円筒状のフード部３２の先端内側には、円環状の切欠き部３２ａを形成してあり、この円環状の切欠き部３２ａには、例えばＮ極の磁性を有した円環状の反発用磁石３８を取り付けてある。そして、図３及び図４に示すように、雌コネクタ２０のロック突起２７ａが雄コネクタ３０の係止突起３７ａに係止されるまでの両コネクタ２０，３０の半嵌合（中途嵌合）時に雌コネクタ２０の磁石２８と雄コネクタ３０の反発用磁石３８の同極（Ｎ極）性の磁力による反発力が働くようになっている。この際、雌コネクタ２０の磁石２８と雄コネクタ３０の反発用磁石３８の反発力は、両コネクタ２０，３０の離脱力より大きくなる（磁石反発力＞コネクタ離脱力）ように設定することにより、半嵌合時には、雌，雄コネクタ２０，３０が分離され、雌端子２５と雄端子３５が接触しない状態となるようになっている。
【００１９】
また、雄ハウジング３１の円筒状のフード部３２の円板状の隔壁３３の中央部の回りには、複数のピン状の雄端子３５を突設してある。各雄端子３５には電線３６が接続されている。
【００２０】
さらに、雄ハウジング３１の円板状の隔壁３３の外周の前側には、円環凹溝状の切欠き部３３ａを形成してあり、この円環凹溝状の切欠き部３３ａには、例えばＳ極の磁性を有した嵌合用磁石３９を取り付けてある。そして、図５に示すように、雌，雄コネクタ２０，３０の嵌合時に雌コネクタ２０の磁石２８と雄コネクタ３０の嵌合用磁石３９の異極（Ｎ極とＳ極）性の磁力による吸着力が働くようになっている。
【００２１】
以上実施形態の半嵌合防止コネクタ１０によれば、図３に示すように、雌コネクタ２０と雄コネクタ３０の嵌合開始時の中途嵌合状態では、雌ハウジング２１に設けた磁石２８と雄ハウジング３１に設けた反発用磁石３８の反発力により、雌，雄コネクタ２０，３０は雌端子２５と雄端子３５が接触しない状態まで分離される。
【００２２】
そして、図４に示すように、図３に示す状態から雌ハウジング２１の内側ハウジング２２と外側ハウジング２４の間に雄ハウジング３１のフード部３２を更に挿入していくと、雌ハウジング２１の磁石２８は雄ハウジング３１の嵌合用磁石３９に吸着される。
【００２３】
図５に示すように、雌ハウジング２１の磁石２８が、雄ハウジング３１の反発用磁石３８に反発され、嵌合用磁石３９に吸着され、雌ハウジング２１のロックアーム２７のロック突起２７ａが雄ハウジング３１の係止突起３７ａに係止されることで、完全な嵌合状態を保持することができる。
【００２４】
この完全嵌合状態で、雌ハウジング２１の磁石２８と雄ハウジング３１の嵌合用磁石３９に吸着力及び反発用磁石３８の反発力がコネクタ嵌合に必要な保持力を上回る場合、雌ハウジング２１のロックアーム２７のロック突起２７ａと雄ハウジング３１の係止突起３７ａとの係止構造を省略することが可能となり、即ち、雌ハウジング２１のロックアーム２７が不要となって、その分、更なる小型化が可能となる。
【００２５】
このように、磁石２８，３８，３９を用いることで、従来のコネクタに設けられているバネ部材を収容する部分が不要となるため、その分、構造の簡素化を図ることができる。この構造の簡素化により、コネクタ全体を小型化することができ、かつ、その取扱い性を向上させることができる。さらに、磁石２８，３８，３９の磁力によるコネクタ嵌合の保持により、雌ハウジング２１にロック突起２７ａを突設したロックアーム２７を設ける必要が無くなり、コネクタ全体の更なる小型化が可能となる。コネクタ全体を小型化することにより、取扱い生が向上する。
【００２６】
また、磁石２８，３８，３９の磁力により、雌ハウジング２１内に雄ハウジング３１を挿入する作業を補助するため、嵌合直前の挿入力の低減が可能となり、コネクタ嵌合作業性の向上が可能となる。さらに、磁石２８，３８，３９の反発力、吸着力によってより確実な完全嵌合が可能となる。
【００２７】
尚、前記実施形態によれば、Ｎ極同士の磁石で反発させたが、Ｓ極同士の磁石で反発させるようにしても良い。この場合、嵌合用磁石はＮ極の磁性を有した磁石となる。また、磁性体として円環状の磁石を用いたが、円柱状や矩形体状の磁石を複数設けても良く、取付位置も外周側に限らす、中央部等の他の箇所でも良い。
【符号の説明】
【００２８】
１０  半嵌合防止コネクタ
２０  雌コネクタ（一方のコネクタ）
２５  雌端子（一方の端子）
２７ａ  ロック突起（ロック部）
２８  磁石（磁性体）
３０  雄コネクタ（他方のコネクタ）
３５  雄端子（他方の端子）
３７ａ  係止突起（係止部）
３８  反発用磁石（反発用の磁性体）
３９  嵌合用磁石（嵌合用の磁性体）
【図１】
2019016471.tif 000003
【図２】
2019016471.tif 000004
【図３】
2019016471.tif 000005
【図４】
2019016471.tif 000006
【図５】
2019016471.tif 000007
【図６】
2019016471.tif 000008
【図７】
2019016471.tif 000009